(57)【要約】【課題】使用中または使用済み水溶性加工液に混入している油を簡単に分離回収することのできる浮上油回収方法およびこの浮上油回収方法を安価に具現化できる浮上油回収装置を提供する。【解決手段】貯液槽１内に貯留した水溶性加工液２に混入して表層に浮遊している浮上油７を分離回収する浮上油回収方法であって、貯液槽１の内部一端から水溶性加工液２を吸い上げて内部他端に戻すことにより該貯液槽１内部で水溶性加工液２を循環させ、貯液槽１の内部一端における水溶性加工液２を吸い上げる箇所に、水溶性加工液２および浮上油７を通過させる多孔体で区画した油隔離室４を設け、油隔離室４内に、浮上油７を吸着して水溶性加工液２から分離回収するゲル化凝集剤１１を浮遊させる。【選択図】図１
2012035148.tif 000002
【特許請求の範囲】
【請求項１】
貯液槽内に貯留した水溶性加工液に混入して表層に浮遊している浮上油を分離回収する浮上油回収方法であって、
前記貯液槽の内部一端から前記水溶性加工液を吸い上げて内部他端に戻すことにより該貯液槽内部で水溶性加工液を循環させ、
前記貯液槽の内部一端における前記水溶性加工液を吸い上げる箇所に、水溶性加工液および浮上油を通過させる多孔体で区画した油隔離室を設け、
前記油隔離室内に、前記浮上油を吸着して前記水溶性加工液から分離回収するゲル化凝集剤を浮遊させることを特徴とする浮上油回収方法。
【請求項２】
貯液槽内に貯留した水溶性加工液に混入して表層に浮遊している浮上油を分離回収する浮上油回収方法であって、
前記貯液槽の内部一端から前記水溶性加工液を吸い上げて内部他端に戻すことにより該貯液槽内部で水溶性加工液を循環させ、
前記貯液槽の内部一端における前記水溶性加工液を吸い上げる箇所に、水溶性加工液および浮上油を通過させる多孔体で区画した油隔離室を設け、
前記油隔離室内に浮遊する前記浮上油を液体として吸い上げて回収することを特徴とする浮上油回収方法。
【請求項３】
請求項１または請求項２に記載の浮上油回収方法において、
前記貯液槽内を循環する水溶性加工液に処理剤を注入することより水溶性加工液に油水分離作用を起こせるようにしたことを特徴とする浮上油回収方法。
【請求項４】
貯液槽内に貯留した水溶性加工液に混入して表層に浮遊している浮上油を分離回収する浮上油回収装置であって、
前記貯液槽の内部一端から前記水溶性加工液を吸い上げて内部他端に戻すことにより該貯液槽内部で水溶性加工液を循環させる循環用ポンプと、
前記水溶性加工液および前記浮上油を共に通過させる多孔体により形成されて、前記貯液槽の内部における前記循環用ポンプの吸込口を囲むように区画して油隔離室を構成する配置で設けられた油隔離部材と、
前記油隔離室内に配置されて前記浮上油を吸着することにより前記水溶性加工液から分離回収するゲル化凝集剤とを備えたことを特徴とする浮上油回収装置。
【請求項５】
貯液槽内に貯留した水溶性加工液に混入して表層に浮遊してい浮上油を分離回収する浮上油回収装置であって、
前記貯液槽の内部一端から前記水溶性加工液を吸い上げて内部他端に戻すことにより該貯液槽内部で水溶性加工液を循環させる循環用ポンプと、
前記水溶性加工液および前記浮上油を共に通過させる多孔体により形成されて、前記貯液槽の内部における前記循環用ポンプの吸込口を囲むように区画して油隔離室を構成する配置で設けられた油隔離部材と、
前記油隔離室内に浮遊している前記浮上油を液体として吸い上げて回収する油吸引用ポンプとを備えたことを特徴とする浮上油回収装置。
【請求項６】
請求項４または請求項５に記載の浮上油回収装置において、
処理剤を貯留した処理剤貯留タンクと、この処理剤貯留タンク内の処理剤を吸い上げて前記貯液槽内の水溶性加工液中に注入する処理剤注入ポンプとを設けたことを特徴とする浮上油回収装置。
【発明の詳細な説明】
【技術分野】
【０００１】
本発明は、工作機械などで使用中または使用済みの水溶性加工液中に混入してこれの表層に浮遊している潤滑油などの浮上油を水溶性加工液から分離回収するための浮上油回収方法および浮上油回収装置に関するものである。
【背景技術】
【０００２】
従来、種々の工作機械などで使用中または使用済みの水溶性加工液は、工作機械の内部または外部に設けられた貯液槽に一旦回収したのち、水溶性加工液に混入している潤滑油などの油をベルト式、バケット式、フロートサクション式などの油水分離装置により分離回収されている（例えば、特許文献１参照）。なお、ここでいう水溶性加工液とは、水溶性切削液、水溶性研削液、水溶性焼入液、水溶性洗浄液および水溶性研磨液などのように油剤原液を水で希釈して各種工作機械などに使用する加工液の総称である。上述のように水溶性加工液に混入している油を分離回収するのは、水溶性加工液を繰り返し使用する目的と、水溶性加工液内に潤滑油などの油が混入すると、微生物の増殖や切り屑の堆積を促進して水溶性加工液の劣化や腐敗が早められてしまうからである。一方、油水分離装置として、事故により海水や湖沼等に広がった油水中の油分を、これの流速を制御して浮上した油分を回収して浄化するもの（例えば、特許文献２，３参照）が知られているが、これらは海面や湖面などに流出した油を回収して水と油に分離するものであって、使用中または使用済みの水溶性加工液に混入している油を分離回収する用途には活用することができない。
【先行技術文献】
【特許文献】
【０００３】
【特許文献１】特開２００３−２００３３１号公報
【特許文献２】特開２００３−１２６８５１号公報
【特許文献３】特開平６−１０３３４号公報
【発明の概要】
【発明が解決しようとする課題】
【０００４】
しかしながら、従来の使用済み水溶性加工液に混入している油を分離回収する油水分離装置は、何れも構造が複雑であるために、コスト高であるだけでなく、工作機械内部に設置するのが容易でないことから工作機械の外部に設置スペースを別途必要とする場合が多く、しかも、高度な操作技術を必要とするので、熟練した技術者しか操作できない。このため、従来から、工作機械のユーザが高度な技術を要することなしに誰でも簡単に操作して水溶性加工液から混入油分のみを効率的に分離回収できる浮上油回収装置の出現が待望されている。
【０００５】
本発明は、使用中または使用済み水溶性加工液に混入している油を簡単に分離回収することのできる浮上油回収方法およびこの浮上油回収方法を安価に具現化できる浮上油回収装置を提供することを目的とする。
【課題を解決するための手段】
【０００６】
上記目的を達成するために、請求項１に係る発明の浮上油回収方法は、貯液槽内に貯留した水溶性加工液に混入して表層に浮遊している浮上油を分離回収する浮上油回収方法であって、前記貯液槽の内部一端から前記水溶性加工液を吸い上げて内部他端に戻すことにより該貯液槽内部で水溶性加工液を循環させ、前記貯液槽の内部一端における前記水溶性加工液を吸い上げる箇所に、水溶性加工液および浮上油を通過させる多孔体で区画した油
隔離室を設け、前記油隔離室内に、前記浮上油を吸着して前記水溶性加工液から分離回収するゲル化凝集剤を浮遊させることを特徴としている。
【０００７】
請求項２に係る発明の浮上油回収方法は、貯液槽内に貯留した水溶性加工液に混入して表層に浮遊している浮上油を分離回収する浮上油回収方法であって、前記貯液槽の内部一端から前記水溶性加工液を吸い上げて内部他端に戻すことにより該貯液槽内部で水溶性加工液を循環させ、前記貯液槽の内部一端における前記水溶性加工液を吸い上げる箇所に、水溶性加工液および浮上油を通過させる多孔体で区画した油隔離室を設け、前記油隔離室内に浮遊する前記浮上油を液体として吸い上げて回収することを特徴としている。
【０００８】
請求項３に係る発明の浮上油回収方法は、請求項１または請求項２に係る発明において、前記貯液槽内を循環する水溶性加工液に処理剤を注入することより水溶性加工液に油水分離作用を起こせるようにしたことを特徴としている。
【０００９】
請求項４に係る発明の浮上油回収装置は、貯液槽内に貯留した水溶性加工液に混入して表層に浮遊している浮上油を分離回収する浮上油回収装置であって、前記貯液槽の内部一端から前記水溶性加工液を吸い上げて内部他端に戻すことにより該貯液槽内部で水溶性加工液を循環させる循環用ポンプと、前記水溶性加工液および前記浮上油を共に通過させる多孔体により形成されて、前記貯液槽の内部における前記循環用ポンプの吸込口を囲むように区画して油隔離室を構成する配置で設けられた油隔離部材と、前記油隔離室内に配置されて前記浮上油を吸着することにより前記水溶性加工液から分離回収するゲル化凝集剤とを備えたことを特徴としている。
【００１０】
請求項５に係る発明の浮上油回収装置は、貯液槽内に貯留した水溶性加工液に混入して表層に浮遊している浮上油を分離回収する浮上油回収装置であって、前記貯液槽の内部一端から前記水溶性加工液を吸い上げて内部他端に戻すことにより該貯液槽内部で水溶性加工液を循環させる循環用ポンプと、前記水溶性加工液および前記浮上油を共に通過させる多孔体により形成されて、前記貯液槽の内部における前記循環用ポンプの吸込口を囲むように区画して油隔離室を構成する配置で設けられた油隔離部材と、前記油隔離室内に浮遊している前記浮上油を液体として吸い上げて回収する油吸引用ポンプとを備えたことを特徴としている。
【００１１】
請求項６に係る発明の浮上油回収装置は、請求項４または請求項５に係る発明において、処理剤を貯留した処理剤貯留タンクと、この処理剤貯留タンク内の処理剤を吸い上げて前記貯液槽内の水溶性加工液中に注入する処理剤注入ポンプとを設けたことを特徴としている。
【発明の効果】
【００１２】
請求項１に係る浮上油回収方法によれば、貯液槽内部の水溶性加工液を貯液槽の他端側から一端側に向け流動させて油隔離室内に流入するように連続的に循環させると、水溶性加工液の流動により油隔離室内へ向けた吸引力が発生するので、この吸引力により浮上油が多孔体をスムーズに通過して油隔離室内に浮上集合されるので、この集合された浮上油は、水溶性加工液の流動により油隔離室内へ向けた吸引力が作用していることから、油隔離室内に集合した状態に保持される。この油隔離室内に集合された浮上油は、厚みを持った油層を形成することから、ゲル化凝集剤に極めて効率的に吸着されて、水溶性加工液から効果的に分離される。
【００１３】
また、この浮上油回収方法では、極めて簡素化された小型の構成として具現化できるので、水溶性加工液を使用する工作機械などに一般的に付設されている貯液槽や循環用ポンプをそのまま活用して構成することが可能であり、その場合には、油隔離室を構成するた
めの油隔離部材およびゲル化凝集剤を別途付加するだけで工作機械などに付設することができ、低コストで製作することができるとともに、容易な操作で水溶性加工液内の油分を効率的に分離除去することができる。
【００１４】
請求項２に係る浮上油回収方法によれば、請求項１に係る浮上油回収方法と同様に、簡単な構成で具現化しながらも水溶性加工液に混入している浮上油を極めて効率的に分離除去できる効果を得ることができ、それに加えて、液体で回収した油を、潤滑油として再利用できる他に、重油代替燃料としても再利用することができる利点がある。
【００１５】
請求項３に係る浮上油回収方法によれば、水溶性加工液に注入された処理剤は、貯液槽内を循環する水溶性加工液に混じりながら、共に流動する間に水溶性加工液と反応することにより、水溶性加工液を水分と油分とに分離する油水分離作用を起こさせる。これにより、水溶性加工液は処理剤により油水分離が促進されることにより、浮上油の油分のみが水相から効率的に分離されて表層に浮遊し、浮上油の層を短時間に形成することができる。
【００１６】
請求項４に係る浮上油回収装置によれば、請求項１に係る発明の浮上油回収方法を忠実に具現化することができる。
【００１７】
請求項５に係る浮上油回収装置によれば、請求項２に係る発明の浮上油回収方法を忠実に具現化することができる。
【００１８】
請求項６に係る浮上油回収装置によれば、請求項３に係る発明の浮上油回収方法を忠実に具現化することができる。
【図面の簡単な説明】
【００１９】
【図１】本発明の第１実施形態に係る浮上油回収方法を具現化した浮上油回収装置の稼働停止状態の縦断面図である。
【図２】同上の浮上油回収装置の稼働状態の縦断面図である。
【図３】（ａ）〜（ｄ）は同上の浮上油回収装置における浮上油を効率的に分離除去できる回収原理の説明図である。
【図４】本発明の第２実施形態に係る浮上油回収方法を具現化した浮上油回収装置の稼働停止状態の縦断面図である。
【図５】同上の浮上油回収装置の稼働状態の縦断面図である。
【図６】本発明の第３実施形態に係る浮上油回収方法を具現化した浮上油回収装置を示す縦断面図である。
【発明を実施するための形態】
【００２０】
以下、本発明の好ましい実施形態について図面を参照しながら詳述する。
【００２１】
図１および図２は、本発明の第１実施形態に係る浮上油回収方法を具現化した浮上油回収装置を示す縦断面図であり、図１は稼働停止時の状態で、図２は稼働中の状態をそれぞれ示す。これらの図において、貯液槽１は、工作機械などで使用中または使用済みの水溶性加工油剤などの水溶性加工液２を投入して溜めておくためのものである。この貯液槽１の一端側内部には、水溶性加工液２およびこれに混入している潤滑油などの油をも通過させる孔径を有する多孔体により有底円筒状に形成された油隔離部材３が、水溶性加工液２内に浸漬させて貯液槽１の底面に載置した状態に配置されている。この油隔離部材３の内部は、貯液槽１内の水溶性加工液２の表層に浮遊する浮上油７を集めて隔離状態に保つための油隔離室４になっている。油隔離部材３の形成素材である多孔体としては、油を通過させる孔径の多数の孔を連続的に有するもの、例えば、金網や不織布などを好適に用いる
ことができる。
【００２２】
前記油隔離部材３内部の油隔離室４には、汲み上げ管８が、これの下端の吸込口８ａが貯液槽１の底面近傍に位置する配置で挿入されており、この汲み上げ管８の上端がクーラントポンプからなる循環用ポンプ９の吸入口に連結されている。循環用ポンプ９の吐出口に連結された送出管１０の先端部は、貯液槽１の他端内部に挿入されている。したがって、循環用ポンプ９は、貯液槽１の一端内部から汲み上げた水溶性加工液２を貯液槽１の他端内部に送出して、水溶性加工液２を貯液槽１の内部で循環させる。油隔離部材３内部には、ゲル化凝集剤１１が水溶性加工液２の液面に浮上油７と共に浮遊する状態に設けられている。このゲル化凝集剤１１は、浮上油７の油分のみを吸着してゲル状もしくは半固形に凝固するものであって、水溶性加工液２は吸着しない。ゲル化凝集剤１１としては、例えば、株式会社Ｅ．Ｃ．Ｅ製の商品名ユーゲルＴＫのように有機体だけで構成されたものを用いるのが好ましく、このゲル化凝集剤１１は、水に比べて比重が小さいことからも好適に用いることができる。
【００２３】
この浮上油回収装置は、工作機械などで使用中または使用済みの水溶性加工液２が貯液槽１内に投入されたとき、図１に示すように、水溶性加工液２に混入している油分が水溶性加工液２の表層に浮遊して浮上油７として層を形成しており、この層状の浮上油７は、循環用ポンプ９が駆動停止時において、油隔離部材３の外方側だけでなく、内部の油隔離室４にもほぼ一様に広がっている。これは、油隔離部材３を形成する多孔体が、水溶性加工液２のみならず、浮上油７も通過できる孔径に設定されているからである。
【００２４】
つぎに、循環用ポンプ９を駆動することにより、貯液槽１内部の水溶性加工液２を貯液槽１の他端側から一端側に向け流動させて油隔離室４内に流入するように連続的に循環させると、図２に示すように、この水溶性加工液２の流動により油隔離室４内へ向けた吸引力が発生するので、この吸引力により浮上油７が油隔離部材３をスムーズに通過して油隔離室４内に浮上集合される。このように油隔離室４内に集合された浮上油７は、循環用ボンプ９の駆動による水溶性加工液２の流動により油隔離室４内へ向けた吸引力が作用していることと、油隔離部材３が、水溶性加工液２をスムーズに通過させる一方で浮上油７の通過に対し若干の抵抗体として作用する孔径であることとにより、油隔離室４内に集合した状態に保持される。この油隔離室４内に集合された浮上油７は、厚みを持った油層を形成することから、ゲル化凝集剤１１に極めて効率的に吸着されて、水溶性加工液２から効果的に分離される。
【００２５】
したがって、循環用ポンプ９を数分ないし数時間の間連続駆動することにより、水溶性加工液２内に混入していた油分による浮上油７は、その殆ど全部がゲル化凝集剤１１に吸着されて水溶性加工液２から分離される。このように混入していた油分が殆ど取り除かれた水溶性加工液２は、繰り返し使用することができ、その使用の際に微生物の増殖や切り屑の堆積を抑制することができるから、長期間にわたり安定に繰り返し使用が可能となる。
【００２６】
潤滑油などの油分を吸着したゲル化凝集剤１１は、ゲル状または半固形体となっているので、油隔離部材３内から簡単に取り除くことができる。特に、この実施形態では、上述のように有機体だけで構成されたゲル化凝集剤１１を用いているので、浮上油７を吸着したゲル化凝集剤１１をそのまま固体燃料として再利用できる利点がある。
【００２７】
この実施形態の浮上油回収装置は、従来装置に比較して極めて簡素化された小型の構成となっているので、水溶性加工液２を使用する工作機械などに一般的に付設されている貯液槽１および循環用ポンプ９をそのまま活用することが可能である。その場合には、油隔離部材３およびゲル化凝集剤１１を別途付加するだけで工作機械などに付設することがで
き、低コストで製作することができるとともに、容易な操作で水溶性加工液２内の油分を効率的に分離除去することができる。また、水溶性加工液２を繰り返し連続的に利用する場合には、使用済みの水溶性加工液２を、工作機械などの外部に設置した貯液槽１に一括して回収して溜めておくことが好ましい。
【００２８】
なお、前記実施形態では、油隔離部材３として、多孔体による有底円筒状のものを例示したが、油隔離部材３は、内部に油隔離室４を形成できればよいので、底を有しない円筒状または角筒状などとしてもよい。さらに、貯液槽１の内部に油隔離室４を設ければ足りるから、例えば、平板状の金網からなる油隔離部材を貯液槽１の内壁に固定することにより、貯液槽１の一部を油隔離室４として区画する構成としてもよい。また、汲み上げ管８は、水溶性加工液２を効果的に循環させるために、前記実施形態で示したように吸込口８ａを貯液槽１の底面付近に配置するのが好ましいが、油隔離部材３の下端位置は、水溶性加工液２と浮上油７との界面よりも下方に位置させればよく、必ずしも実施形態で例示したように貯液槽１の底面付近に位置させる必要はない。
【００２９】
前記実施形態の浮上油回収装置は、簡単な構成としながらも水溶性加工液２に混入している浮上油７を極めて効率的に分離除去できるものであり、この浮上油７を効率的に分離除去できる回収原理について、図３を参照しながら更に詳述する。図３において、図１および図２と同一のものには同一の符号を付して、重複する説明を省略する。同図において、油隔離部材３を通過して油隔離室４内に流入する水溶性加工液２の流量をＱ１、汲み上げ管８および送出管１０内の水溶性加工液２の流量をＱ２、油隔離室４の内部に向けた圧力をＰ１、油隔離室４の外部に向けた圧力をＰ２、油隔離部材３を形成する多孔体による圧損をΔＰとすると、Ｐ１＝Ｐ２＋ΔＰ（Ｐ１＞Ｐ２）で、Ｑ１＝Ｑ２−ΔＱ（Ｑ１＜Ｑ２）の関係が成立する。これらの関係は、表面に浮上油７が浮遊する水溶性加工液２の液面の変化にかかわらず常に不変であり、ΔＱが変化するだけである。
【００３０】
図３（ａ）に示すように、水溶性加工液２の表層に一様な厚みの浮上油７が形成されている場合には、（Ｑ１＜Ｑ２）の関係、つまり汲み上げ管８および送出管１０内の水溶性加工液２の流量Ｑ２が油隔離室４内に流入する水溶性加工液２の流量をＱ１よりも多いことから、図３（ｂ）に示すように、油隔離室４内の液面が下がる。このように油隔離室４内の液面が下がったために、図３（ｃ）に示すように、油隔離室４内に多量の浮上油７が流入し、図３（ｄ）に示すように、油隔離室４の内部の液面が外部の液面に等しくなった時点で油隔離室４内への浮上油７の流入が止まるが、（Ｐ１＞Ｐ２）の関係によって油隔離室４内の浮上油７が油隔離室４の外部に流出することがないので、油隔離室４の内部に多くの量の浮上油７が集合されてその状態に保持される。これにより、多量の浮上油７がゲル化凝集剤１１に効率的に吸着される。そののち、図３（ｂ）、同図（ｃ）および同図（ｄ）の状態を繰り返す。
【００３１】
図４および図５は、本発明の第２実施形態に係る浮上油回収方法を具現化した浮上油回収装置を示す縦断面図であり、図４は稼働停止時の状態で、図５は稼働中の状態をそれぞれ示す。これらの図において、図１および図２と同一若しくは同等のものには同一の符号を付して、重複する説明を省略する。この実施形態の浮上油回収装置が第１実施形態と相違するのは、ゲル化凝集剤１１を除外して、油隔離室４内の浮上油７を吸引する油吸引用ポンプ１２と、この油吸引用ポンプ１２が吸引した油を回収する油回収容器１３とを設けた構成である。
【００３２】
この実施形態の浮上油回収装置においても、第１実施形態と同様に、簡単な構成としながらも水溶性加工液２に混入している浮上油７を極めて効率的に分離除去でき、第１実施形態と相違するのは、油隔離室４内に浮上集合している浮上油７を液体の状態で油吸引用ポンプ１２によって分離回収する点のみである。このように油回収容器１３に液体で回収
された回収油１４は、潤滑油として再利用できる他に、重油代替燃料としても再利用することができる。
【００３３】
図６は本発明の第３実施形態に係る浮上油回収方法を具現化した浮上油回収装置を示す縦断面図であり、水溶性加工液のリサイクル装置として構成したものである。同図において、第１実施形態を示す図１および図２と同一若しくは同等のものには同一の符号を付して、重複する説明を省略する。この実施形態の浮上油回収装置が第１実施形態と相違するのは、界面活性剤のような処理剤を貯留した処理剤貯留タンク１７と、この処理剤貯留タンク１７から汲み上げ管１９を介して汲み上げた処理剤を注入管２０を介して貯液槽１内部の水溶性加工液２中に注入する処理剤注入ポンプ１８を新たに付設した構成のみである。
【００３４】
第３実施形態の浮上油回収装置では、循環用ポンプ９を作動させて貯液槽１内の水溶性加工液２を循環させながら、処理剤注入ポンプ１８を作動させて処理剤を水溶性加工液２に徐々に添加していく。水溶性加工液２に添加された処理剤は、貯液槽１内を循環する水溶性加工液２に混じりながら、共に流動する間に水溶性加工液２と反応することにより、水溶性加工液２を水分と油分とに分離する油水分離作用を起こさせる。これにより、水溶性加工液２は処理剤により油水分離が促進されることにより、浮上油７の油分のみが水相から効率的に分離されて表層に浮遊し、浮上油７の層を短時間に形成することになる。この表層に浮上する浮上油７の層は、貯液槽１内を常に循環している水溶性加工液２の流れによって油隔離室４内に集合されて、油隔離室４の内部で厚みを持った油層を形成する。
【００３５】
この油層はゲル化凝集剤１１に効果的に吸着されるので、貯液槽１内には、水溶性加工液２からこれに混入していた油分のほぼ全部が取り除かれた水溶液のみが残存することになる。したがって、貯液槽１内に残存する水溶液は、通常の排水処理を施すことにより、冷却水などの工業用水として再利用することも可能となる。なお、処理剤貯留タンク１７、汲み上げ管１９、処理剤注入ポンプ１８および注入管２０からなる構成を第２実施形態に付設して、油隔離室４に形成された油層を油吸引用ポンプ１２で吸引して除外するようにしてもよく、この場合においても、貯液槽１内には、水溶性加工液２から油分のほぼ全部が取り除かれた水溶液のみが残存することになる。
【００３６】
この第３実施形態において、循環用ポンプ９により貯液槽１内から汲み上げられた水溶性加工液２における油の除去処理状況を検出する検出センサを設けて、この検出センサが検出した除去処理状況に応じて処理剤注入ポンプ１８の作動を制御するのが好ましい。すなわち、処理剤を、貯液槽１内を循環する水溶性加工液２の油分の除去状況に応じた必要量を所要のタイミングで注入することにより、水溶性加工液２に対し油水分離作用を効果的に起こさせることができる。
【００３７】
なお、本発明は、以上の実施形態で示した内容に限定されるものでなく、本発明の要旨を逸脱しない範囲内で、種々の追加、変更または削除が可能であり、そのようなものも本発明の範囲内に含まれる。
【産業上の利用可能性】
【００３８】
本発明の浮上油回収方法および浮上油回収装置は、工作機械などで使用したのちの水溶性加工液に混入している潤滑油などの油分を除去して、水溶性加工液を繰り返し利用できるようにする用途に好適に適用することができる。
【符号の説明】
【００３９】
１  貯液槽
２  水溶性加工液
３  油隔離部材
４  油隔離室
７  浮上油
８ａ  吸込口
９  循環用ポンプ
１１  ゲル化凝集剤
１２  油吸引用ポンプ
１８  処理剤注入ポンプ
【図１】
2012035148.tif 000003
【図２】
2012035148.tif 000004
【図３】
2012035148.tif 000005
【図４】
2012035148.tif 000006
【図５】
2012035148.tif 000007
【図６】
2012035148.tif 000008